(57)【要約】  本発明によるシステム及び方法は、テレビ制御機能に対するユーザインターフェースを提供する。ビデオ上にオーバレイされた制御要素と、ＤＶＲユーザインターフェースと、再生リスト作成ツールと、ポインティングデバイスを介したユーザとの対話とに関して説明されている。【特許請求の範囲】
【請求項１】
テレビシステムであって、
テレビと、
前記テレビを介してメディアの出力を制御するためのユーザインターフェースと、
ビデオを出力するための新規チャネルの選択を可能にするように、チャネル変更要素と対話することによって、前記ユーザインターフェースに対するポインティング及び選択入力を行うためのポインティングデバイスと
を具備し、
前記ユーザインターフェースは、前記テレビ上に表示され、かつ、前記テレビ上に出力された前記ビデオにオーバレイする前記チャネル変更要素を含むことを特徴とするテレビシステム。
【請求項２】
前記チャネル変更要素は、
第１順序で、選択のためのチャネルを表示するための第１タブ化オーバレイと、
前記第１順序とは異なる第２順序で、選択のための前記チャネルを表示するための第２タブ化オーバレイと
をさらに具備することを特徴とする請求項１に記載のテレビシステム。
【請求項３】
前記チャネル変更要素は、
前記テレビ上に表示された数字のキーパッドと、
対応するチャネル番号ディスプレイ領域と
をさらに具備し、
前記数字のキーパッド内の個別の数字上をポイント及びクリックすることによって、チャネル番号が前記チャネル番号ディスプレイ領域内に集約されることを特徴とする請求項１に記載のテレビシステム。
【請求項４】
前記チャネル変更要素は、これに関連付けられたユーザインターフェース制御要素に加えて、前記テレビ上に交互に表示することが可能であるか、又は、前記チャネル変更要素の第１アイコン表示を減少することが可能であることを特徴とする請求項１に記載のテレビシステム。
【請求項５】
前記チャネル変更要素の前記第１アイコン表示上をポイント及びクリックすることによって、前記チャネル変更要素及びこれに関連付けられたユーザインターフェース制御要素が前記テレビ上に表示されることを特徴とする請求項４に記載のテレビシステム。
【請求項６】
前記ユーザインターフェースは、
音量制御オーバレイと、
一連のデジタルビデオレコーディング（ＤＶＲ）オーバレイ制御と、
をさらに具備し、
前記音量制御オーバレイ及び前記一連のＤＶＲオーバレイ制御は、前記テレビ上に選択的に表示されることを特徴とする請求項１に記載のテレビシステム。
【請求項７】
前記音量制御オーバレイ及び前記一連のＤＶＲオーバレイ制御は、第２アイコン表示を動作することによって、選択的に表示可能であることを特徴とする請求項６に記載のテレビシステム。
【請求項８】
テレビを制御するための方法であって、
チャネルを変更するためのユーザインターフェースを、前記テレビ上に表示するステップと、
ポインティングデバイスを使用して、前記テレビ上に表示されたビデオにオーバレイされたユーザインターフェース要素をポイントすることによって、前記ユーザインターフェースに入力を行うステップと、
前記入力に基づき、前記テレビ上のメディア出力を制御するステップと
を具備する方法。
【請求項９】
前記ユーザインターフェース要素は、
第１順序で、選択のためのチャネルを表示するための第１タブ化オーバレイと、
前記第１順序とは異なる第２順序で、選択のための前記チャネルを表示するための第２タブ化オーバレイと
をさらに具備することを特徴とする請求項８に記載の方法。
【請求項１０】
前記ユーザインターフェース要素は、
前記テレビ上に表示された数字のキーパッドと、
対応するチャネル番号ディスプレイ領域と
をさらに具備し、
前記数字のキーパッド内の個別の数字上をポイント及びクリックすることによって、チャネル番号が前記チャネル番号ディスプレイ領域内に集約されることを特徴とする請求項８に記載の方法。
【請求項１１】
前記ユーザインターフェース要素は、これに関連付けられたユーザインターフェース制御要素に加えて、前記テレビ上に交互に表示することが可能であるか、又は、前記ユーザインターフェース要素の第１アイコン表示を減少することが可能であることを特徴とする請求項８に記載の方法。
【請求項１２】
前記ユーザインターフェース要素の前記第１アイコン表示上をポイント及びクリックすることによって、前記ユーザインターフェース要素及びこれに関連付けられたユーザインターフェース制御要素が前記テレビ上に表示されることを特徴とする請求項１１に記載の方法。
【請求項１３】
音量制御オーバレイ及び一連のデジタルビデオレコーディング（ＤＶＲ）オーバレイ制御を前記テレビ上に選択的に表示するステップをさらに具備することを特徴とする請求項８に記載の方法。
【請求項１４】
前記音量制御オーバレイ及び前記一連のＤＶＲオーバレイ制御は、第２アイコン表示を動作することによって、選択的に表示可能であることを特徴とする請求項１３に記載の方法。
【請求項１５】
テレビシステムであって、
テレビと、
前記テレビを介してメディアの出力を制御するためのユーザインターフェースと、
前記ユーザインターフェースのための設定の選択を可能にするように、ユーザインターフェースビューと対話することによって、前記ユーザインターフェースに対するポインティング及び選択入力を行うためのポインティングデバイスと
を具備し、
前記ユーザインターフェースは、前記テレビ上に表示され、かつ、前記ユーザインターフェースと関連した設定をユーザに変更させる前記ユーザインターフェースビューを含むことを特徴とするテレビシステム。
【請求項１６】
前記設定は、
パレンタルコントロールと、
前記テレビ上への発呼者ＩＤ情報の表示と、
お気に入りのチャネルと
のうちの少なくとも１つを具備することを特徴とする請求項１５に記載のテレビシステム。
【請求項１７】
前記パレンタルコントロールは、ＰＩＮ番号の設定を含むことを特徴とする請求項１６に記載のテレビシステム。
【請求項１８】
テレビを制御するための方法であって、
前記テレビを介してメディアの出力を制御するためのユーザインターフェースを表示するステップと、
前記ユーザインターフェースのための設定の選択を可能にするように、前記ユーザインターフェースに対するポインティング及び選択入力を受信するステップと
を具備し、
前記ユーザインターフェースは、前記テレビ上に表示され、かつ、前記ユーザインターフェースと関連した設定をユーザに変更させるユーザインターフェースビューを含むことを特徴とする方法。
【請求項１９】
前記設定は、
パレンタルコントロールと、
前記テレビ上への発呼者ＩＤ情報の表示と、
お気に入りのチャネルと
のうちの少なくとも１つを具備することを特徴とする請求項１８に記載の方法。
【請求項２０】
前記パレンタルコントロールは、ＰＩＮ番号の設定を含むことを特徴とする請求項１９に記載の方法。
【請求項２１】
ビデオの表示を一時停止するための方法であって、
テレビ上に前記ビデオを表示するステップと、
ポインティングデバイスを使用して、前記テレビ上の複数の異なる位置のうちのいずれか１つをポイントするステップと、
前記ポインティングデバイス上のボタンを押すステップと、
前記ボタンプレスに応答して、前記ビデオの前記表示を一時停止するステップと
を具備することを特徴とする方法。
【請求項２２】
再生リスト生成システムであって、
テレビと、
メディアアイテムを格納し、かつ、前記メディアアイテムを選択的に再生するための記憶装置と、
前記格納されたメディアアイテムに対応した画像を使用して、前記テレビ上に表示された再生リストを作成するためのユーザインターフェースと、
前記表示された再生リストに、前記メディアアイテムに対応した前記画像を追加するように、前記ユーザインターフェースに対するポインティング及び選択入力を行うための３Ｄポインティングデバイスと
を具備することを特徴とする再生リスト生成システム。
【請求項２３】
前記ユーザインターフェースは、再生リスト領域バーをさらに具備し、
再生されるメディアアイテムに対応した前記画像は、それらが再生される順番に配列されることを特徴とする請求項２１に記載の再生リスト生成システム。
【請求項２４】
前記ユーザインターフェースは、
前記ユーザインターフェースを命令して、前記再生リスト内の前記メディアアイテムを再生するための再生ボタンと、
前記メディアアイテムの前記順番をシャッフルするためのシャッフルボタンと、
前記再生リスト領域から前記画像をクリアするためのクリアボタンと、
前記テレビ上の前記再生リストを閉じるためのクローズボタンと、
をさらに具備し、
前記ボタンのそれぞれは、前記テレビ上に表示され、かつ、前記３Ｄポインティングデバイス上で、各ボタンをポイントし、かつ、ボタンを押すことによって動作可能であることを特徴とする請求項２３に記載の再生リスト生成システム。
【請求項２５】
前記再生リストは、これに関連付けられたユーザインターフェース制御要素に加えて、前記テレビ上に交互に表示することが可能であるか、又は、前記再生リストのアイコン表示を減少することが可能であることを特徴とする請求項２２に記載の再生リスト生成システム。
【請求項２６】
前記再生リストの前記アイコン表示上をポイント及びクリックすることによって、前記再生リスト及びこれに関連付けられたユーザインターフェース制御要素が前記テレビ上に表示されることを特徴とする請求項２５に記載の再生リスト生成システム。
【請求項２７】
第１ユーザインターフェースビューでは、前記画像は、ジャンルによってカテゴリ化された画像の本棚として表示されることを特徴とする請求項２２に記載の再生リスト生成システム。
【請求項２８】
前記再生リストは、前記本棚の一部の前記画像の一部をオーバレイするため、選択的に表示することが可能であることを特徴とする請求項２７に記載の再生リスト生成システム。
【請求項２９】
前記画像及び対応するメディアアイテムのうちの１つに関連付けられた第２ユーザインターフェースビューをさらに備え、
少なくとも１つのユーザインターフェース制御要素は、前記再生リストに複数のメディアサブアイテムの全てか、又は、前記再生リストに前記複数のメディアサブアイテムの個々を、前記ユーザが追加することを許可する前記テレビ上に表示されることを特徴とする請求項２７に記載の再生リスト生成システム。
【請求項３０】
再生リスト生成方法であって、
格納されたメディアアイテムに対応した画像を使用して、再生リストを作成するためのユーザインターフェースを表示するステップと、
３Ｄポインティングデバイスを使用して、前記ユーザインターフェース上に表示された前記画像をポイントすることによって、前記ユーザインターフェースに入力を行うステップと、
前記入力に基づき、前記再生リストにメディアアイテムを選択的に追加するステップと
を具備することを特徴とする方法。
【請求項３１】
前記ユーザインターフェースは、再生リスト領域バーをさらに具備し、
再生されるメディアアイテムに対応した前記画像は、それらが再生される順番に配列されることを特徴とする請求項３０に記載の方法。
【請求項３２】
前記ユーザインターフェースは、
前記ユーザインターフェースを命令して、前記再生リスト内の前記メディアアイテムを再生するための再生ボタンと、
前記メディアアイテムの前記順番をシャッフルするためのシャッフルボタンと、
前記再生リスト領域から前記画像をクリアするためのクリアボタンと、
前記テレビ上の前記再生リストを閉じるためのクローズボタンと、
をさらに具備し、
前記ボタンのそれぞれは、前記テレビ上に表示され、かつ、前記３Ｄポインティングデバイス上で、各ボタンをポイントし、かつ、ボタンを押すことによって動作可能であることを特徴とする請求項３１に記載の方法。
【請求項３３】
前記再生リストは、これに関連付けられたユーザインターフェース制御要素に加えて、前記テレビ上に交互に表示することが可能であるか、又は、前記再生リストのアイコン表示を減少することが可能であることを特徴とする請求項３０に記載の方法。
【請求項３４】
前記再生リストの前記アイコン表示上をポイント及びクリックすることによって、前記再生リスト及びこれに関連付けられたユーザインターフェース制御要素が前記テレビ上に表示されることを特徴とする請求項３３に記載の方法。
【請求項３５】
第１ユーザインターフェースビューでは、前記画像は、ジャンルによってカテゴリ化された画像の本棚として表示されることを特徴とする請求項３０に記載の方法。
【請求項３６】
前記再生リストは、前記本棚の一部の前記画像の一部をオーバレイするため、選択的に表示することが可能であることを特徴とする請求項３５に記載の方法。
【請求項３７】
前記画像及び対応するメディアアイテムのうちの１つに関連付けられた第２ユーザインターフェースビューをさらに備え、
少なくとも１つのユーザインターフェース制御要素は、前記再生リストに複数のメディアサブアイテムの全てか、又は、前記再生リストに前記複数のメディアサブアイテムの個々を、前記ユーザが追加することを許可する前記テレビ上に表示されることを特徴とする請求項３６に記載の方法。
【請求項３８】
デジタルビデオレコーディング（ＤＶＲ）システムであって、
テレビと、
ビデオプログラムを格納し、かつ、前記テレビ上で前記ビデオプログラムを選択的に再生するための記憶装置と、
前記ビデオプログラムのレコーディングを制御するためのユーザインターフェースと、
前記ユーザインターフェースに対するポインティング及び選択入力を行うための３Ｄポインティングデバイスと
を具備し、
前記ユーザインターフェースは、前記テレビ上に表示され、
前記ビデオプログラムのうちの少なくとも一部は、対応する選択可能な画像を介して、レコーディング及び再生のために選択可能であることを特徴とするＤＶＲシステム。
【請求項３９】
前記ユーザインターフェースは、前記記憶装置内に現在は格納された記録されたビデオプログラムに関連付けられた、対応する選択可能な画像のうちの少なくとも１つの行を設ける、第１ビューをさらに具備することを特徴とする請求項３８に記載のＤＶＲシステム。
【請求項４０】
前記ユーザインターフェースは、記録される次回のビデオプログラムの予定を設ける、第２ビューをさらに具備することを特徴とする請求項３９に記載のＤＶＲシステム。
【請求項４１】
前記第１ビュー及び前記第２ビューは、前記テレビ上に表示された対応するタブ要素をポイント及び選択することによって、交互に表示されることを特徴とする請求項４０に記載のＤＶＲシステム。
【請求項４２】
前記ユーザインターフェースは、前記ビデオプログラムのレコーディング優先順位の表示を設ける、第３ビューをさらに具備することを特徴とする請求項４０に記載のＤＶＲシステム。
【請求項４３】
前記第１ビューは、ビデオレコーディングのために残っている記憶領域を示すディスクメータをさらに備えていることを特徴とする請求項３９に記載のＤＶＲシステム。
【請求項４４】
前記第２ビューは、予定されたレコーディングが他の予定されたレコーディングと競合するか否かの表示を設けることを特徴とする請求項４０に記載のＤＶＲシステム。
【請求項４５】
予定されたレコーディングが他の予定されたレコーディングと競合するか否かの前記表示を、選択的に設けるためのユーザが選択可能なフィルタをさらに備えることを特徴とする請求項４４に記載のＤＶＲシステム。
【請求項４６】
デジタルビデオレコーディング（ＤＶＲ）のための方法であって、
テレビ上に、ビデオプログラムのレコーディング及び再生を制御するためのユーザインターフェースを表示するステップと、
３Ｄポインティングデバイスを使用して、前記ユーザインターフェース上に表示された画像をポイントすることによって、前記ユーザインターフェースに入力を行うステップと、
前記入力に基づき、前記ビデオプログラムを選択的にレコーディング及び再生するステップと
を具備することを特徴とする方法。
【請求項４７】
前記ユーザインターフェースは、前記記憶装置内に現在は格納された記録されたビデオプログラムに関連付けられた、対応する選択可能な画像のうちの少なくとも１つの行を設ける、第１ビューをさらに具備することを特徴とする請求項４６に記載の方法。
【請求項４８】
前記ユーザインターフェースは、記録される次回のビデオプログラムの予定を設ける、第２ビューをさらに具備することを特徴とする請求項４７に記載の方法。
【請求項４９】
前記第１ビュー及び前記第２ビューは、前記テレビ上に表示された対応するタブ要素をポイント及び選択することによって、交互に表示されることを特徴とする請求項４８に記載の方法。
【請求項５０】
前記ユーザインターフェースは、前記ビデオプログラムのレコーディング優先順位の表示を設ける、第３ビューをさらに具備することを特徴とする請求項４８に記載の方法。
【請求項５１】
前記第１ビューは、ビデオレコーディングのために残っている記憶領域を示すディスクメータをさらに備えていることを特徴とする請求項４７に記載の方法。
【請求項５２】
前記第２ビューは、予定されたレコーディングが他の予定されたレコーディングと競合するか否かの表示を設けることを特徴とする請求項４８に記載の方法。
【請求項５３】
予定されたレコーディングが他の予定されたレコーディングと競合するか否かの前記表示を、選択的に設けるステップをさらに備えることを特徴とする請求項５２に記載の方法。
【発明の詳細な説明】
【技術分野】
【０００１】
情報通信に関連する技術は、ここ数十年の間に急速に発展した。（ほんのいくつかを挙げるとすれば）テレビ、携帯電話、インターネット、光通信などの技術が一緒になって、利用可能な情報および娯楽の膨大な選択肢を消費者にもたらしている。テレビを例にとれば、最近の30年で、ケーブルテレビサービス、衛星テレビサービス、ペイパービュー映画およびビデオオンデマンドが導入されている。1960年代のテレビの視聴者が、典型的には、おそらく4つ又は5つの無線テレビチャンネルをテレビ受像機で受信できていたのに対し、現代のテレビの視聴者は、何百、何千および潜在的には何百万ものチャンネルの番組や情報の中から選択することが可能である。ビデオオンデマンド技術は、現在は主にホテルなどで使用されているが、家庭内で何千もの映画タイトルの中から選択できる娯楽の可能性を備えている。
【背景技術】
【０００２】
そのように多くの情報およびコンテンツをエンドユーザに提供することを技術的に可能にすることは、システム設計者およびサービス提供者にとって、チャンスであり難題である。難題の１つとして、エンドユーザは、一般に、選択肢が少ないよりも多いほうを好むが、この好みは、エンドユーザが望む、高速かつシンプルな選択プロセスがあってのことである。残念ながら、エンドユーザがメディアアイテムにアクセスするためのシステムおよびインターフェースの発達によってもたらされた選択プロセスは、高速でもなければ、シンプルでもない。再度、テレビ番組の例を考える。テレビがその黎明期にあったときは、どの番組を視聴するかを決めることは、比較的シンプルなプロセスであったが、これは、主に、選択肢が少なかったためである。人々が照会したであろう、印刷されたガイドは、例えば、一連の列および行として書式化されていて、これが、（１）隣り合うテレビチャンネル群と、（２）それらのチャンネルで転送される番組と、（３）日時との間の対応を示していた。テレビは、チューナノブを調節することによって所望のチャンネルにチューニングされ、視聴者は、その選択された番組を視聴した。その後、リモコン装置が導入され、視聴者は、離れた場所からテレビをチューニングできるようになった。ユーザ−テレビインターフェースにリモコン装置が加わったことは、「チャンネルサーフィン」と呼ばれる現象をもたらした。これによって、ユーザは、いくつものチャンネルで放送されている短い断片を素早く視聴して、所定の時点でどのような番組が視聴可能かを、素早く知ることができた。
【０００３】
チャンネル数および視聴可能なコンテンツの量が劇的に増えたにもかかわらず、一般的に利用可能な、テレビのユーザインターフェース、制御装置の選択肢、およびフレームワークは、この30年の間、あまり変わっていない。印刷されたガイドは、今でも、番組情報を伝達する最も一般的な仕組みである。上下矢印を有する、複数ボタンのリモコンは、今もなお、最も一般的なチャンネル／コンテンツ選択メカニズムである。視聴可能なメディアコンテンツが増えたことに対する、テレビユーザインターフェースを設計および実装する人々の対応は、既存の選択手続きおよびインターフェースオブジェクトの単純な拡張であった。したがって、印刷されたガイドの行数は、増えたチャンネルを収容するために増えた。リモコン装置のボタンの数は、例えば、図１に示されるように、追加された機能性およびコンテンツ処理をサポートするために増えている。しかしながら、こうしたアプローチの結果、視聴者が利用可能な情報を調べるのに必要な時間、および、選択を実施するために必要な操作の複雑さの両方が、大幅に増えた。既存のインターフェースの扱いにくさは、一部のサービス（例えば、ビデオオンデマンド）の商用実施の障害になったと言ってよい。これは、消費者が、既にあまりに低速かつ複雑であると考えているインターフェースがさらに複雑になる新しいサービスに抵抗を示したためである。
【０００４】
ユーザインターフェースのボトルネック問題は、帯域幅およびコンテンツの増加のほかに、技術の集約によって悪化している。消費者は、いくつかの別々のコンポーネントよりも一体型のシステムを購入することを選択できることに、肯定的である。このトレンドの一例が、一体型テレビ／VCR／DVDであり、以前は独立していた3つのコンポーネントが、今日では、一体型装置として売られることが多い。このトレンドは続くことが予想され、最終的には、現在家庭にある通信装置の、全部ではなくともほとんどが、一体型装置（例えば、テレビ／VCR／DVD／インターネットアクセス／ラジオ／ステレオ装置）として、まとめてパッケージされる可能性がある。別々のコンポーネントを購入し続ける人々も、それら別々のコンポーネントの間でのシームレスな制御および相互作用を望む可能性が高い。このように集約が高度になると、ユーザインターフェースがいっそう複雑になる可能性がある。例えば、（例えば、テレビリモコンとVCRリモコンの機能性を結合した）いわゆる「ユニバーサル」リモコンが導入された際には、これらのユニバーサルリモコンのボタンの数は、典型的には、テレビリモコン又はVCRリモコンの単独でのボタンの数より多くなった。このようにボタンおよび機能の数が増えることにより、テレビ又はVCRの最も単純な機能以外の機能を、リモコン上で正しいボタンを探し回ることなく制御することは、非常に困難になる。多くの場合、このようなユニバーサルリモコンは、特定のテレビに固有の、様々なレベルの制御又は機能にアクセスするのに十分なボタンを提供しない。そのような場合には、オリジナルのリモコンがやはり必要であり、複数のリモコンを使用するという、元からある煩雑さは残る。これは、集約の複雑さから生じるユーザインターフェースの問題によるものである。いくつかのリモコンは、エキスパートコマンドによってプログラムされることが可能な「ソフト」ボタンを追加することによって、この問題に対処している。これらのソフトボタンは、その動作を示すために、LCDディスプレイが付随する場合がある。これらはまた、テレビからリモコンに視線を移すことなく使用するのが困難であるという弱点を有する。これらのリモコンのさらに別の弱点は、ボタンの数を減らそうとしてモードを使用することである。このような「モード化された」ユニバーサルリモコンでは、リモコンが、テレビ、DVDプレーヤ、ケーブルセットトップボックス、VCR、その他と通信しなければならないかどうかを選択する、特別なボタンが存在する。これは、間違った機器にコマンドを送信してしまうことや、正しいモードであるかどうかを、ユーザがリモコンを見て確認しなければならないことなどを含む、様々な操作性の問題を生じさせ、複数の機器を統合することをまったく簡略化しない。これらのユニバーサルリモコンのうちの、最も高度なものは、ユーザが複数の機器に対するコマンドのシーケンスをリモコンにプログラムすることを可能にすることによって、ある程度の統合を提供する。これは、多くのユーザが各自のユニバーサルリモコンをプログラムするために専門のインストーラを雇うような、難しい作業である。
【０００５】
エンドユーザとメディアシステムとの間の画面インターフェースを近代化するための、いくつかの試みもなされている。しかしながら、これらの試みは、典型的には、様々な弱点がある中でも特に、メディアアイテムの大規模コレクションとメディアアイテムの小規模コレクションとの間のスケーリングが容易ではない、という弱点を有する。例えば、アイテムのリストを頼りにするインターフェースは、メディアアイテムの小規模コレクションに対しては良好な動作が可能であるが、メディアアイテムの大規模コレクションを参照するには面倒である。階層型ナビゲーション（例えば、ツリー構造）を頼りにするインターフェースは、メディアアイテムの大規模コレクションに対しては、リストインターフェースより迅速なトラバースが可能であるが、メディアアイテムの小規模コレクションへの適応は容易ではない。さらに、ユーザは、ツリー構造の3つ以上の層を経て移動しなければならない選択プロセスには興味を失う傾向がある。以上すべての場合に関して、現行のリモコンは、リスト又は階層をナビゲートするために上下ボタンを繰り返し押し下げることをユーザに強制することによって、この選択プロセスをよりいっそう面倒なものにする。ページアップやページダウンのような選択スキップ制御が使用可能な場合、ユーザは、通常、これらの特殊ボタンを見つけるためにリモコンを見なければならないか、又は、それらが一様に存在することを知るためにトレーニングされなければならない。したがって、ユーザとメディアシステムとの間の制御および画面インターフェースを簡略化し、かつ、選択プロセスをより高速にし、同時に、多数のメディアアイテムおよび新サービスをユーザに供給することを容易にすることによって、エンドユーザ機器で利用可能な帯域幅の増加をサービス提供者が活用することを可能にする、編成のフレームワーク、手法およびシステムが、引用により開示内容が本明細書に組み込まれた、2004年1月30日に出願された米国特許出願第10/768,432号明細書（発明の名称を「メディア項目を編成、選択及び開始するためのズーム可能なグラフィカルユーザインターフェースを有する制御フレームワーク」とする）で提案されている。
【０００６】
映画、音楽、写真及び個人ビデオなどのメディアアイテムをナビゲートし、かつ、選択可能であることに加えて、消費者にますます一般的になる傾向のある他の特徴は、テレビをポイントし、かつ、ポインティングを介して、そこに表示されたユーザインターフェース要素と対話する能力である。ポインティングは、コンピュータを使用している人々にはよく知られている強力なインタラクティブツールをもたらし、かつ、上記した「上／下／左／右」パラダイムに伴う問題を回避する。ユーザがテレビ及び関連したデバイスと対話することを容易にするユーザインターフェースへのポインティングの導入は、新規の独創的なユーザインターフェース要素に対する需要を今度はかき立てる。
【先行技術文献】
【特許文献】
【０００７】
【特許文献１】米国特許出願第10/768,432号明細書
【特許文献２】米国特許出願第11/437,215号明細書
【特許文献３】米国特許出願第11/119,663号明細書
【特許文献４】米国特許出願第11/119,719号明細書
【特許文献５】米国特許出願第11/119,987号明細書
【特許文献６】米国特許出願第11/119,688号明細書
【特許文献７】米国特許出願第11/480,662号明細書
【特許文献８】米国特許出願第09/829,263号明細書
【特許文献９】米国特許出願第11/417,764号明細書
【発明の概要】
【課題を解決するための手段】
【０００８】
代表的な１態様によれば、テレビシステムは、
テレビと、
テレビを介してメディアの出力を制御するためのユーザインターフェースと、
ビデオを出力するための新規チャネルの選択を可能にするように、チャネル変更要素と対話することによって、ユーザインターフェースに対するポインティング及び選択入力を行うためのポインティングデバイスと
を具備し、
ユーザインターフェースは、テレビ上に表示され、かつ、テレビ上に出力されたビデオにオーバレイするチャネル変更要素を含んでいる。
【０００９】
他の代表的な１態様によれば、テレビを制御するための方法は、
チャネルを変更するためのユーザインターフェースを、テレビ上に表示するステップと、
ポインティングデバイスを使用して、テレビ上に表示されたビデオにオーバレイされたユーザインターフェース要素をポイントすることによって、ユーザインターフェースに入力を行うステップと、
入力に基づき、テレビ上のメディア出力を制御するステップと
を具備している。
【００１０】
さらに他の代表的な態様によれば、テレビシステムは、
テレビと、
テレビを介してメディアの出力を制御するためのユーザインターフェースと、
ユーザインターフェースのための設定の選択を可能にするように、ユーザインターフェースビューと対話することによって、ユーザインターフェースに対するポインティング及び選択入力を行うためのポインティングデバイスと
を具備し、
ユーザインターフェースは、テレビ上に表示され、かつ、ユーザインターフェースと関連した設定をユーザに変更させるユーザインターフェースビューを含んでいる。
【００１１】
さらに他の代表的な態様によれば、テレビを制御するための方法は、
テレビを介してメディアの出力を制御するためのユーザインターフェースを表示するステップと、
ユーザインターフェースのための設定の選択を可能にするように、ユーザインターフェースに対するポインティング及び選択入力を受信するステップと
を具備し、
前記ユーザインターフェースは、テレビ上に表示され、かつ、ユーザインターフェースと関連した設定をユーザに変更させるユーザインターフェースビューを含んでいる。
【００１２】
他の代表的な態様によれば、ビデオの表示を一時停止するための方法は、
テレビ上にビデオを表示するステップと、
ポインティングデバイスを使用して、テレビ上の複数の異なる位置のうちの１つをポイントするステップと、
ポインティングデバイス上のボタンを押すステップと、
ボタンプレスに応答して、前記ビデオの表示を一時停止するステップと
を具備している。
【００１３】
代表的な１態様によれば、再生リスト生成システムは、
テレビと、
メディアアイテムを格納し、かつ、メディアアイテムを選択的に再生するための記憶装置と、
格納されたメディアアイテムに対応した画像を使用して、テレビ上に表示された再生リストを作成するためのユーザインターフェースと、
表示された再生リストに、メディアアイテムに対応した前記画像を追加するように、ユーザインターフェースに対するポインティング及び選択入力を行うための３Ｄポインティングデバイスと
を具備している。
【００１４】
他の代表的な態様によれば、再生リスト生成方法は、
格納されたメディアアイテムに対応した画像を使用して、再生リストを作成するためのユーザインターフェースを表示するステップと、
３Ｄポインティングデバイスを使用して、ユーザインターフェース上に表示された画像をポイントすることによって、ユーザインターフェースに入力を行うステップと、
入力に基づき、再生リストにメディアアイテムを選択的に追加するステップと
を具備している。
【００１５】
さらに他の代表的な態様によれば、コンピュータ可読媒体は、プロセッサによって実行されたとき、
格納されたメディアアイテムに対応した画像を使用して、再生リストを作成するためのユーザインターフェースを表示するステップと、
３Ｄポインティングデバイスを使用して、ユーザインターフェース上に表示された画像をポイントすることと関連した前記ユーザインターフェースに対する入力を受信するステップと、
入力に基づき、再生リストにメディアアイテムを選択的に追加するステップと
を実行する命令を含んでいる。
【００１６】
代表的な態様によれば、デジタルビデオレコーディング（ＤＶＲ）システムは、
テレビと、
ビデオプログラムを格納し、かつ、テレビ上でビデオプログラムを選択的に再生するための記憶装置と、
ビデオプログラムのレコーディングを制御するためのユーザインターフェースと、
ユーザインターフェースに対するポインティング及び選択入力を行うための３Ｄポインティングデバイスと
を具備し、
ユーザインターフェースはテレビ上に表示され、
ビデオプログラムのうちの少なくとも一部は、対応する選択可能な画像を介して、レコーディング及び再生のために選択可能である。
【００１７】
他の代表的な態様によれば、デジタルビデオレコーディング（ＤＶＲ）のための方法は、
テレビ上に、ビデオプログラムのレコーディング及び再生を制御するためのユーザインターフェースを表示するステップと、
３Ｄポインティングデバイスを使用して、前記ユーザインターフェース上に表示された画像をポイントすることによって、前記ユーザインターフェースに入力を行うステップと、
入力に基づき、ビデオプログラムを選択的にレコーディング及び再生するステップと
を具備している。
【００１８】
添付図面は、本発明の代表的な実施例を図示している。
【図面の簡単な説明】
【００１９】
【図１】娯楽システムの従来型リモコン装置である。
【図２】本発明の代表的な実施例を実装することができる代表的なメディアシステムである。
【図３Ａ】本発明の代表的な実施例による３Ｄポインティングデバイスである。
【図３Ｂ】本発明の代表的な実施例により、３Ｄポインティングデバイスを用いて、テレビ上のユーザインターフェースに入力を行うユーザである。
【図３Ｃ】本発明の代表的な実施例によるユーザインターフェースのホームＵＩビューである。
【図４】図４Ａ−Ｄは、本発明の代表的な実施例によるＴＶ制御ユーザインターフェース要素及び機能に関連したユーザインターフェース画面である。
【図５】図５Ａ−Ｄは、本発明の他の代表的な実施例によるTV制御ユーザインターフェース要素及び機能に関連したユーザインターフェース画面である。
【図６】図６Ａ−Ｋは、本発明のさらに他の代表的な実施例によるTV制御ユーザインターフェース要素及び機能に関連したユーザインターフェース画面である。
【図７】図７Ａ−Ｇは、本発明の他の代表的な実施例による再生リスト生成ユーザインターフェース要素及び機能に関連したユーザインターフェース画面である。
【図８】図８Ａ−Ｆは、本発明の代表的な実施例によるＤＶＲ機能に関連したユーザインターフェース画面である。
【図９】図９Ａ−Ｄは、本発明の代表的な実施例によるＤＶＲ機能に関連したユーザインターフェース画面である。
【発明を実施するための形態】
【００２０】
以下の、本発明の詳細説明では、添付図面を参照する。異なる図面での同一参照符号は、同一又は同様の要素を示す。また、以下の詳細説明は、本発明を限定するものではなく、本発明の範囲は、添付の特許請求の範囲によって定義される。
【００２１】
本説明のためのいくつかのコンテキストを与えるために、まず、本発明を実装することが可能な、例示的な集約型メディアシステム200を、図２を参照しながら説明する。しかしながら、当業者であれば、本発明がこのタイプのメディアシステムにおける実装に限定されないこと、ならびに、このシステムに含まれるコンポーネントがより多くても、より少なくてもよいことが理解される。このシステムでは、入出力（I/O）バス210が、メディアシステム200内のシステムコンポーネント同士を接続する。I/Oバス210は、メディアシステムコンポーネント間で信号をルーティングする、複数の異なるメカニズムおよび技術のいずれかを表す。例えば、I/Oバス210は、適切な数の、オーディオ信号をルーティングする、独立したオーディオ「パッチ」ケーブル、ビデオ信号をルーティングする同軸ケーブル、制御信号をルーティングする二線式シリアル配線（あるいは、赤外線又は無線周波数の送受信装置）、他のタイプの信号をルーティングする光ファイバ又は他の任意のルーティングメカニズムを含むことが可能である。１又は複数のハードドライブ280（又はディスク）は、記録されたビデオ、音楽又は他のメディアを格納するために設けることが可能である。
【００２２】
この代表的な実施例では、メディアシステム200は、I/Oバス210に接続された、テレビ／モニタ212、ビデオカセットレコーダ（VCR）214、デジタルビデオディスク（DVD）レコーダ／プレーヤ216、オーディオ／ビデオチューナ218、およびコンパクトディスクプレーヤ220を含む。VCR214、DVD216、およびコンパクトディスクプレーヤ220は、単一ディスク又は単一カセットの装置であってよく、代替として、複数ディスク又は複数カセットの装置であってもよい。これらは、別々の装置であっても、一体型であってもよい。さらに、メディアシステム200は、マイク／スピーカシステム222、ビデオカメラ224、および無線I/O制御装置226を含む。本発明の代表的な実施例によれば、無線I/O制御装置226は、３Ｄポインティングデバイスである。無線I/O制御装置226は、例えば、IR又はRF送信装置又は送受信装置を使用して、娯楽システム200と通信することが可能である。代替として、I/O制御装置は、有線で娯楽システム200に接続されることが可能である。
【００２３】
娯楽システム200はさらに、システムコントローラ228を含む。本発明の代表的な１実施例によれば、システムコントローラ228は、複数の娯楽システムデータソースから入手できる娯楽システムデータを保存および表示し、各システムコンポーネントに関連付けられた多種多様な機能を制御するように、動作する。図2に示されるように、システムコントローラ228は、必要に応じて、I/Oバス210により、各システムコンポーネントと直接的又は間接的に接続される。代表的な１実施例では、システムコントローラ228は、I/Oバス210に加えて、又はI/Oバス210の代わりに、無線通信送信装置（又は送受信装置）とともに構成され、IR信号又はRF信号を介してシステムコンポーネントと通信することが可能である。システムコントローラ228は、制御媒体に関係なく、後述のグラフィカルユーザインターフェースを介して、メディアシステム200のメディアコンポーネントを制御するように構成される。
【００２４】
さらに図２に示されるように、メディアシステム200は、種々のメディアソースおよびサービス提供者からメディアアイテムを受け取るように構成されることが可能である。この代表的な実施例では、メディアシステム200は、ケーブル放送230、衛星放送232（例えば、衛星放送受信用パラボラアンテナ経由）、放送テレビジョンネットワークの超短波（VHF）又は極超短波（UHF）無線周波数通信234（例えば、空中線アンテナ経由）、電話ネットワーク236、およびケーブルモデム238（又は別の、インターネットコンテンツのソース）などのソースのいずれか、又はすべてからメディア入力を受け取り、場合によって、それらに情報を送る。当業者であれば、図２に関して図示および説明されたメディアコンポーネントおよびメディアソースが、あくまで例示的なものであること、ならびに、メディアシステム200が、これらのメディアコンポーネントおよびメディアソースのそれぞれを、より多く又はより少なく含むことが可能であることが理解される。例えば、システムへの他のタイプの入力として、AM／FMラジオや衛星ラジオがある。
【００２５】
この例示的娯楽システムおよびこれに関連付けられたフレームワークの詳細については、前述の、引用により組み込まれた米国特許出願（発明の名称を「メディア項目を編成、選択及び開始するためのズーム可能なグラフィカルユーザインターフェースを有する制御フレームワーク」とする）を参照されたい。さらに、興味があれば、引用により開示内容が本明細書に組み込まれた、2006年5月19日に出願された米国特許出願第11/437,215号明細書（発明の名称を「ユーザインターフェースにおけるグローバルナビゲーションオブジェクト」とする）も参照されたい。また、本発明によるリモコン装置、及び、リモコン装置とユーザインターフェースとの間の対話技術は、他のタイプのシステム（例えば、ディスプレイ、プロセッサ及びメモリシステムなどを備えたコンピュータシステム）、又は、他の多様なシステム及びアプリケーションとともに使用することができる。
【００２６】
背景技術のセクションで言及されているように、本明細書で特に対象としているのは、３Ｄポインタとして動作するリモコン装置であるが、本発明は、３Ｄポインタを含むシステムに限定されない。そのような装置は、装置の動き（例えば、直線運動、回転運動、加速、又は、これらの任意の組合せ）を、ユーザインターフェースへのコマンドに変換することを可能にする。図３Ａには、ループ状の例示的３Ｄポインティングデバイス300が示されているが、本発明は、ループ状の装置に限定されない。この代表的な実施例では、３Ｄポインティングデバイス300は、2つのボタン302および304と、スクロールホイール306（スクロールホイール306は、押し下げることにより、ボタンとして動作することも可能）とを含むが、他の代表的な実施例は、他の物理的構成を含む。３Ｄポインティングデバイス300のユーザの動きは、例えば、x軸の姿勢（ロール）、y軸の高さ（ピッチ）、又はz軸の方角（ヨー）のうちの１つ又は複数のまわりの回転のかたちで定義されることが可能である。さらに、本発明のいくつかの代表的な実施例は、追加（又は代替）として、x軸、y軸、および／又はz軸に沿っての３Ｄポインティングデバイス300の直線運動を測定して、カーソルの動き、又は他のユーザインターフェースコマンドを生成することが可能である。一例を以下に示す。本発明の代表的な実施例に従って、３Ｄポインティングデバイスに関連するいくつかの置換や変形をシステムに実装することが可能である。本発明の代表的な実施例と併せて使用可能な例示的３Ｄポインティングデバイスの詳細について興味があれば、引用により開示内容が本明細書に組み込まれた、2005年5月2日に出願された米国特許出願第11/119,663号明細書（発明の名称を「３Ｄポインティングデバイス及び方法」（補正済み）とする）、やはり2005年5月2日に出願された米国特許出願第11/119,719号明細書（発明の名称を「傾斜補償を用いた３Ｄポインティングデバイス及び改善された利便性」（補正済み）とする）、やはり2005年5月2日に出願された米国特許出願第11/119,987号明細書（発明の名称を「３Ｄポインティングデバイスにおける意図していない動きを除去するための方法及びデバイス」（補正済み）とする）、やはり2005年5月2日に出願された米国特許出願第11/119,688号明細書（発明の名称を「ユーザに基づく微動を識別するための方法及びデバイス」（補正済み）とする）、ならびに、2006年6月3日に出願された米国特許出願第11/480,662号明細書（発明の名称を「３Ｄポインティングデバイス」とする）を参照されたい。
【００２７】
本発明の代表的な実施例によれば、３Ｄポインティングデバイス300は、ディスプレイ308の前でユーザによって保持されること、ならびに、３Ｄポインティングデバイス300の動きは、３Ｄポインティングデバイスによって、ディスプレイ308に表示される情報と対話すること（例えば、ディスプレイ308上でカーソル310を動かすこと）に使用可能な出力に変換されることが、期待される。例えば、そのような３Ｄポインティングデバイスおよびそれらに関連付けられたユーザインターフェースを使用して、図３Ｂに示されるように（詳細は後述される）、テレビ上でメディア選択を行うことが可能である。本発明の代表的な実施例の態様は、いわゆる「10フィートインターフェース」（居間におけるユーザとテレビとの間の典型的な距離）のユーザ体験を強化するように最適化されることが可能である。例えば、（例えば、３Ｄポインティングデバイスおよび関連するユーザインターフェースを使用する）ポインティングおよびスクロール（ならびに、ズームおよびパン）との間の対話は、後述されるように、この環境に最適化されることが可能であるが、本発明は、これに限定されない。
【００２８】
次に、図３Ａを再度参照しながら、３Ｄポインティングデバイス300の動きと、ユーザインターフェース上での対応するカーソルの動きとの間の例示的関係について説明する。y軸のまわりの３Ｄポインティングデバイス300の回転は、３Ｄポインティングデバイス300によってセンスされ、ディスプレイ308上のy2軸に沿ってカーソル310を動かすためにシステムによって使用可能な出力に変換されることが可能である。同様に、z軸のまわりの３Ｄポインティングデバイス300の回転は、３Ｄポインティングデバイス300によってセンスされ、ディスプレイ308上のx2軸に沿ってカーソル310を動かすためにシステムによって使用可能な出力に変換されることが可能である。３Ｄポインティングデバイス300の出力は、カーソルの動き以外のいくつかの方法（又は、カーソルの動きに加えて、いくつかの方法）で、ディスプレイ308との対話に使用可能であることを理解されたい（例えば、カーソルによるフェージング、ボリューム、又はメディアトランスポート（再生、一時停止、早送り、および巻き戻し）の制御を行うことが可能である）。さらに、システムは、ジェスチャ（例えば、あらかじめ決められた動きのパターン）を認識して、カーソルの動きのほかにコマンドを伝達するように、プログラムされることが可能である。さらに、他の入力コマンド（例えば、（例えば、ズームインする場合はボタン302を押し、ズームアウトする場合はボタン304を押すことによって作動する）ディスプレイの特定領域のズームイン又はズームアウト）を、ユーザが利用できるようにすることも可能である。
【００２９】
本発明の代表的な実施例によれば、ユーザインターフェースは、少なくとも部分的に、ユーザインターフェースビュー間の移動のために、ズーム技術を使用してもよい。ズーム移動効果は、漸進的なスケーリングを行い、かつ、ＵＩオブジェクト（現在のＵＩビュー上に表示された）の少なくとも一部を表示することによって実行することができて、これらのＵＩオブジェクトが観察者から離れるように動く視覚的な印象をもたらす。本発明の他の機能的な態様では、ユーザインターフェースは、ユーザインターフェース（同様に、観察者に向かって動く視覚的な印象をもたらす漸進的なスケーリング、及び、ＵＩオブジェクトの表示を得る）とのユーザ対話（user interaction）に応答して、ズームインしてもよい。ズーム可能なインターフェースに関する詳細な情報は、引用により開示内容が本明細書に組み込まれた、2004年1月30日に出願された米国特許出願第10/768,432号明細書（発明の名称を「メディア項目を編成、選択及び開始するためのズーム可能なグラフィカルユーザインターフェースを有する制御フレームワーク」とする）、及び、2001年4月9日に出願された米国特許出願第09/829,263号明細書（発明の名称を「テレビ番組のためのインタラクティブコンテンツガイド」とする）に見出される。
【００３０】
異なるユーザインターフェースビュー間のユーザインターフェース内の動きは、ズームに限定されていない。ズームに加えてか、又は、その代替として、ユーザインターフェースビュー間の移動に、ズームではない他の方法を使用することができる。例えば、パンは、ユーザインターフェースオブジェクト（ユーザインターフェースビュー内に現在表示された）のうちの少なくとも一部の漸進的な変換、及び、表示によって実行することができる。これは、これらのユーザインターフェースオブジェクトが側方に移動する視覚的な印象を観察者にもたらす。
【００３１】
ここで、図３Ｂに示されたアプリケーションに戻ると、テレビ320上に見られるＧＵＩ画面（本明細書では「ＵＩビュー」とも称し、現在表示された一連のＵＩオブジェクトを指す用語である）はホームビューである。この特定の代表的な実施例では、ホームビューは、複数のアプリケーション322（例えば、「写真（Photos）」、「音楽（Music）」、「記録された（Recorded）」、「ガイド（Guide）」、「生放送ＴＶ（Live TV）」、「オンデマンド（On Demand）」、「設定（Settings）」）を表示し、３Ｄポインティングデバイス300を介して、ユーザインターフェースと対話するため、ユーザによって選択可能である。そのようなユーザ対話は、例えば、ポインティング、スクロール、クリック、又は、それらの組み合わせを含むことができる。代表的なポインティング、スクロール及びクリック対話（本発明の代表的な実施例とともに使用することができる）に関する詳細については、興味があれば、引用により開示内容が本明細書に組み込まれた、2006年5月4日に出願された米国特許出願第11/417,764号明細書（発明の名称を「ユーザインターフェースにおけるスクロール及びポインティングのための方法及びシステム」とする、Frank J. Wroblewski）を案内する。
【００３２】
１．ポインティング及びＴＶユーザインターフェース要素
上記したように、ＴＶユーザインターフェースに対する入力パラダイムの一部としてのポインティング能力の提供は、新しいタイプのユーザインターフェース要素及び機能（この特徴を利用する）をもたらし、その代表的な実施例が本明細書に説明される。図３Ｃをはじめとして、図３Ｂの「ホーム」ＵＩビューの他のバージョンが示されている。その中で、図３Ｃの初期選択要素のサークルが、図３Ｂに示されたバージョンに比べて、「インターネット（Internet）」及び「ゲーム（Games）」に対する選択要素を含むように拡張され、選択要素は、例えば、適切な選択要素をポイントし、かつ、３Ｄポインティングデバイス300上のボタンを押すことによって選択することができる。この議論において特に興味深いのは、図３Ｃに図示された「生放送テレビ（Live TV）」340、「設定（Settings）」350、「オンデマンド（On Demand）」360の選択要素である。これらの選択要素の動作によって、多様なメディアＵＩビューア（後述のインタラクティブユーザインターフェース要素をポインティングするステップを含む）に対して、これらの代表的な実施例では、１つの代表的なナビゲーションパスを設けるが、これらのＵＩビューに到達するように、ユーザインターフェースを通じて、他のパスをたどってもよいことが分かる。
【００３３】
例えば、３Ｄポインタ300を介して選択要素340を動作することによって、図４Ａに示されたＵＩビューの表示（例えば、テレビ上にテレビの生番組の表示）を得ることができる。また、グローバルナビゲーションアイコン324（引用により上に組み込まれた特許出願に開示された）は、生放送テレビの機能から離れた、迅速かつ容易なナビゲーションのため、ゴーストイメージで利用可能である。その中で、例えば、ユーザがテレビの左手側に向かってカーソルを動かすとき、チャネル変更ユーザインターフェース要素400を表示することができる。チャネル変更ユーザインターフェース要素400は、進行中の生放送ＴＶのビデオ供給の上にオーバレイとして、表示することができる。この代表的な実施例では、チャネル変更ユーザインターフェース要素は、４個のタブ402，404，406，408を備えている。チャネル変更ユーザインターフェース要素のこれらのタブ化された各ビューは、図４Ａから図４Ｄに関連して説明される。
【００３４】
最も左側のタブ402から始めると、これが動作され、かつ、生放送ＴＶ又はビデオ供給の上にオーバレイされるとき、これは、ユーザインターフェース要素のデフォルトビューであり得る。選択されたとき、タブ402は、番号順（例えば、図４Ａの代表的な実施例に示すように、最も小さい番号のチャネルから最も大きい番号のチャネルに）に、選択可能なチャネル番号を設ける。さらに、図示するように、英数字の識別子をチャネル番号及びタイトルのそばに設けることができるか、又は、プログラム（そのチャネル上で現在再生されている）の他の指標を下に設けることができる。ユーザが３Ｄポインティングデバイスを動かして、タブ402ユーザインターフェース要素に図示されたチャネルエントリのうちの１つをポイントしつつ、例えば、３Ｄポインティングデバイス300上のボタンをクリックした場合、生放送TV供給は、プログラム（そのチャネル上に現在放送されているか、又は、ストリームされている）を変更する。
【００３５】
ユーザが、３Ｄポインティングデバイス300を介して、タブ404をポイントし、かつ、クリックするか、又は、他の選択入力を行った場合、次いで、図４Ｂに見られるようなＵＩビューを表示することができる。その中で、ユーザインターフェースは、英数字である（例えば、コールサイン、又は、対応するチャネル識別子に基づき、アルファベットで表す）利用可能なチャネルのリストを設ける。さらに、同じ方法で、ユーザは、選択可能なチャネルのこの表示を使用して、ビデオソース（生放送ＴＶ供給に供給するビデオ及びオーディオ情報をもたらす）を変更してもよい。
【００３６】
図４Ｃは、ユーザが第３タブ406をクリックした１例を図示している。このタブは、ユーザによって「お気に入り（Favorites）」として識別されたチャネルを示し、これによって、より少ない個数のチャネルのフィルタリングされたリスト（選択肢として設けることができる）を設ける。お気に入りを選択するための仕組みは以下に議論される。さらに、図４Ｃには示されていないが、例えば、タブ406内に図示されたハートのシンボルをポイント及びクリックすることによって、現在視聴するチャネルを、お気に入りのリストに追加するか、又は、お気に入りリストの他の編集を実行することを可能にする他の画面を、ユーザに用意することができる。同様に、タブ408をポイント及びクリックすることによって、例えば、図４Ｄに示されたものと類似したチャネル選択要素400のビューがユーザには用意される。その中で、図示したようにキーパッドを通じて、チャネルエントリを実行してもよい。対応するディスプレイがディスプレイ領域内に設けられるとすぐに、ポインタを使用して、各数字ボタンを押すことができる。ユーザがチャネル番号を入力し終えると、ユーザは、その上にカーソルを置き、かつ、３Ｄポインティングデバイス300上のボタンのうちの１つを動作することによって、「入力（Enter）」ボタンをクリックしてもよい。これによって、例えば、生放送ビデオ供給（テレビ上に表示されている）を、新規に入力されたチャネル番号に関係するそれに変更することとなる。さらに、チャネル400を変更するためのユーザインターフェース要素のタブ408バージョンは、グラフィカルな上下チャネルボタン（ポイント及びクリックすることによって動作することができる）及び「直前のチャネル（Last Channel）」も備えている。
【００３７】
本発明の代表的な実施例は、チャネル変更ユーザインターフェース制御要素に加えて、これらのシステムと関連したポインティング能力を利用する他のタイプのユーザインターフェース要素を設ける。例えば、図５Ａは、他の代表的な実施例（生放送ＴＶがテレビ上で現在視聴されている）を図示している。ユーザインターフェースビューをキャプチャした瞬間に、全ての存在するユーザインターフェース要素は、「ゴースト」イメージで表示されている（即ち、これに関連付けられた半透明の品質を有するアウトラインを除き、主に透明である）。図５Ａのこの実施例では、これらの制御要素は、上記した４個のグローバルナビゲーション要素324と、生放送ＴＶウィジェット（widget）アイコン500及び502とを備えている。グローバルナビゲーションボタンは、引用により上に組み込まれた特許出願に詳細に開示されているので、本明細書ではさらに詳細な説明は行わない。本出願のさらに興味深いのは、アイコン500及び502（生放送ＴＶ供給を制御し、及び／又は、ソフトウエアオーバレイとしてＤＶＲ機能を設けるため、視聴者が、オーバレイ制御を選択的に動作させる）である。例えば、アイコン500及び502は、一般に、下にある生放送ＴＶ供給に対する影響を最小化するために、ゴースト化された形態で表示される。しかし、例えば、カーソル（図示せず）がアイコン500及び502のうちの１つの上に配置されるように、ユーザが３Ｄポインティングデバイス300を動かす場合、アイコンは、その選択可能な状態を示すために、点灯するか、又は、塗りつぶされる。例えば、図５Ｂに示されたように、音量及びＤＶＲ制御に関するアイコン502は、カーソルがその近くにある場合、ハイライトされる。次いで、ユーザは、例えば、３Ｄポインティングデバイス300上のボタンを押すことによって、ユーザインターフェースがオーバレイ制御（カーソルをアイコン502上に所定期間ホバリングする）を表示するようにリクエストしてもよい（又は、他の動作又は選択の仕組み）。これが起こったとき、次いで、代表的な実施例に基づき、ＤＶＲオーバレイ504及び音量制御オーバレイ506は、テレビ上に表示された生放送ＴＶビデオ供給の上に現れる。図５Ｃには、この一例が示されている。
【００３８】
その中で、一般に参照符号504により参照されたＤＶＲオーバレイ制御は、一連の５個のボタン（その上に、ＤＶＲ機能（左側から右側に向かって、「次のセグメントに戻る（Next Segment Back）」ボタン、「巻戻し（Rewind）」ボタン、「一時停止（Pause）」ボタン、「早送り（Fast-Forward）」ボタン、「次のセグメントに進む（Next Segment Forward）」ボタンを含む）と関連付けられたシンボルを有する）を備えている。本明細書に記載された他の制御と同様に、ユーザは、これらのＤＶＲボタンのうちの１つの上にカーソル（図示せず）を置き、かつ、その上でクリックして、関連するＤＶＲ機能を実行するように、ユーザインターフェースに、命令を出力することによって、ＴＶ上のＤＶＲ制御を迅速かつ容易に作用させることができる。ユーザインターフェースは、このコマンドを受信し、ＤＶＲ制御コマンドとしてそれを解釈し、かつ、リクエストされたタスクを実行する。同様に、この代表的な実施例に図示された音量制御オーバレイ506は、いくつかの仕組み（ユーザがテレビをポイント及びクリックして、出力されているテレビプログラムと関連した音量を制御することができる）をもたらす。例えば、ユーザは、対応するバー上の音量レベルインジケータ508を上下にドラッグして、それに従って、音量を上げるか、又は、下げることができる。同様に、ユーザは、バー上の位置をクリックして、レベルインジケータ508を、クリックされたポイントに自動的に再配置してもよい。再び、ユーザインターフェースは、これをコマンドとして解釈して、テレビ音量を調整し、かつ、それに従ってテレビを制御する。図５Ｄは、ユーザがカーソルをチャネル変更アイコン500の上又は近くに置いた場合を図示している。これによって、今度は、グローバルナビゲーションアイコン324及び502（この実施例では、ゴースト化された形態を維持している）に比べて、ユーザインターフェースがアイコン500をハイライトさせる。上記したように、アイコン500をハイライトすることは、それが選択可能であることを示している。この特定のアイコンを選択又は動作することによって、生放送ＴＶ供給の上にチャネル変更オーバレイの表示を得る。チャネル変更の仕組みの１例（ポイント及びクリックオーバレイとして設けることができる）は、図４Ａから図４Ｄにおいて、上に説明された。
【００３９】
生放送ＴＶに対して強力なポイント及びクリックオーバレイ制御を設けることに加えて、これらの代表的な実施例と関連したポインティングパラダイムは、メディア制御の他の容易なナビゲーションタイプをもたらす。図３Ｃに一時的に戻ると、「設定（Settings）」アイコン350の動作によって、例えば、ＵＩビュー（図６Ａに図示された）を表示してもよい。このＵＩナビゲーション可能なパスは、ユーザインターフェース及びメディアの再生と関連した多様な設定を調整するための利便性の高い仕組みを、ユーザにもたらす。例えば、セットアップウィザードアイコン600をポイント及びクリックすることによって、図６Ｂに図示されたように、ＵＩビューの表示を得る。セットアップウィザードは、ポインティングデバイスを使用して、ユーザのテレビシステムの多様な態様をセットアップ及び構成するための仕組みをナビゲートすることの容易性をユーザにもたらすことができる。例えば、図６Ｃに示すように、ユーザは、システムに使用されるテレビと関連した画面サイズをポイント及びクリックすることができる。同様に、図６Ｄでは、ポイント及びクリックデータ入力を楽にするように、テレビ上に表示された数字のキーパッドを使用して、ユーザの郵便番号を入力することができる。
【００４０】
同様に、図６Ａに戻ると、例えば、システム状態アイコン610をポイント及びクリックすることによって、ユーザのシステムと関連した情報を提供するＵＩビューの表示（図６Ｅに図示されたように）を得る。図６Ａのアイコン620を介して、アラートを提供してもよい（図６Ｆに示したようなＵＩビューを得ることができる）。例えば、図６Ｆは、ポイント及びクリックの仕組みを介して、電話を受信したとき、テレビ画面上に発呼者ＩＤを表示するように、ユーザが選択可能な能力をもたらす。
【００４１】
図６Ａのパレンタルコントロール630を動作することによって、多様なＵＩビューの表示を得る。その実施例が図６Ｇから始まって図示されている。図６Ｇに見られるように、この代表的なポイント及びクリックパレンタルコントロールユーザインターフェースは、３個のタブ化されたアプローチを形成している。第１タブ632では、セットアップ機構が、ユーザによるポイント及びクリック操作のために、形成されている。パレンタルコントロールは、上下ボタン636及び638をそれぞれポイント及びクリックすることによって、カウンタ634を介して、一時的に無効にすることができる。これらの代表的な実施例によるパレンタルコントロール設定の多様なタイプの設定は、セットアップタブ632の下にも表示されている。例えば、評価によるパレンタルコントロールをロック又は非ロックすることができる。これらのパレンタルコントロールは、タブ「評価による（By Rating）」637上をポイント及びクリックすることによって、アクセスすることができる。パレンタルタブＵＩビューにおいて、このタブを動作することによって、図６Ｈに図示したようなＵＩビューの表示を得てもよい。その中で、ユーザは、画面上に図示された評価をポイント及びクリックすることによって、それらの評価に基づき、ＴＶプログラム又は映画をロック又は非ロックすることができる。又は、ユーザは、タブ639にアクセスすることによって、個別のチャネルをロックすることができる。例えば、タブ639をポイント及びクリックすることによって、図６Ｉの実施例に図示されたようなＵＩビューの表示を得る。この中で、ユーザは、個別のチャネルに関連付けられたエントリをポイント及びクリックして、これと関連した制御をロック又は非ロックすることができる。次いで、ユーザインターフェースは、非ロックされたチャネルだけがテレビ上に表示されることを許可する。
【００４２】
図６Ａの「お気に入り（Favorites）」アイコン640を動作することによって、図６Ｊに図示したように、ＵＩビューの表示を得る。この中で、ユーザは、個別のチャネルに関連付けられたチェックボックスをポイント及びクリックして、お気に入りリストに投入することができる。リストは、スクロール矢印又はバー（この実施例では、チャネルリストの右側に配置された）を使用して、スクロールすることができる。その上にカーソルを配置し、かつ、ポインティングデバイス上のボタンを動作することにより、図６Ｇの「ＰＩＮを変更（Change PIN）」を動作することによって、例えば、図６Ｋに示したＵＩビューの表示を得る。この中で、ユーザには、数字のＰＩＮ番号を入力するための機能が設けられている。
【００４３】
他の代表的な実施例によれば、図４Ａから図４Ｄ及び図５Ａから図５Ｄに関連して上記された生放送ＴＶ供給は、容易に一時停止することができる。例えば、ユーザインターフェースは、生放送ＴＶ供給のどの部分（例えば、オーバレイ制御と関連した部分以外）上のポイント及びクリックでもプログラムの表示を一時停止することのリクエストとして解釈することができる。これによって、例えば、ユーザがリビングルームを離れる必要がある場合、プログラムの表示を一時停止するための非常に便利な仕組みをユーザにもたらす。
【００４４】
２．再生リスト構成
再生リスト作成、管理ツール、及び、上記したシステム及びユーザインターフェースと対話する技術の提供は、望ましい特徴である。これらの代表的な実施例は、図７Ａから図７Ｂに関して説明されるように、ユーザに対して強力な再生リスト作成及び管理ツールをもたらすための他のユーザインターフェース可視化とともに、例えば、３Ｄポインタを使用してテレビ上に表示されたユーザインターフェース上で、ポインティングのパワーを利用する。第１に図３Ｃを参照すれば、この議論において特に興味深いのは、図３Ｃに図示された「音楽（Music）」選択要素390である。この要素の動作によって、多様なメディア選択画面（後述の再生リスト作成及び管理能力を備えた）に対して、これらの代表的な実施例では、１つのナビゲーションパスを設けるが、これらのＵＩビューに到達するように、ユーザインターフェースを通じて、他のパスをたどってもよいことが分かる。さらに、再生リストは、アルバム、歌又は音楽ビデオ（以下に、これらの代表的な実施例を図示するために使用されるが、その代わりに、格納されたメディアアイテムなら何でも使用可能である）のリストに限定はされない。
【００４５】
例えば、３Ｄポインタ300を介して選択要素390を動作することによって、例えば、テレビ上に、図７Ａに示したＵＩビューの表示を得る。この中で、いくつかのユーザ選択アイテム（例えば、多様な音楽録音に関するＣＤアルバムカバーアート画像）は、ポイント及びクリックによってアクセス可能である。グローバルナビゲーションアイコン324（引用により上に組み込まれた特許出願に開示された）も、音楽選択機能から離れた迅速かつ容易なナビゲーションのために利用可能である。この実施例では、６個の音楽アルバム（そのそれぞれが20個の画像を含み、各画像が音楽録音のアルバムと関連した）の「本棚」が表示されている。しかし、これらの代表的な実施例は、20個の画像アイテムを含む本棚に限定されることなく、より多いか又は少ない個数の画像を含んでよいことが分かる。しかし、選択可能なメディアアイテムとして画像を提供することによって、視覚的なブラウズ（ユーザの経験を強化し、かつ、多数のアイテムの迅速なナビゲートをより容易にする）をもたらす。また、図７Ａには、再生リストアイコン700が示されている。カーソルを再生リストアイコン上に配置し、かつ、入力コマンドを供給することによって（例えば、カーソルがアイコン700の上に表示されるように、３Ｄポインタ300を動かし、かつ、これに関連付けられたボタンのうちの１つを押すことによって）、ユーザは、再生リストが隠されているモードと、図７Ｂに示すように、再生リスト702が選択可能な画像アイテム上にオーバレイとして表示されているモードとの間を切り替えることができる。
【００４６】
この代表的な実施例では、再生リスト作成ツール702は、アイテム（再生リスト内に入るように選択される）が表示される領域704を備えている。図７Ｂの実施例では、領域704は、アイテムがまだ選択されていないので、現在は未投入である。この代表的な実施例では、再生リストツール702は、ユーザが選択可能な４個のボタン706,708,710,712も備えている。これらのボタンのうちの１つをポイントし、かつ、３Ｄポインティングデバイス300上のボタンを動作することによって、ユーザインターフェース表示可能ボタンを動作することができる。例えば、ユーザがカーソル（図示せず）を「再生（Play）」ボタン706上に置き、かつ、３Ｄポインティングデバイス300上のボタンを動作する場合、次いで、ユーザインターフェースは、再生リスト内のアイテムを再生し始める。例えば、音楽との関連では、再生リスト内の選択された音楽は、例えば、スピーカ222を通じた出力を介して、順番に再生される。ボタン708は、動作したとき、例えば、ランダムな順番に再生リスト内のメディアアイテムを表示するために、ユーザインターフェースに命令を出して、再生リスト内のリスト化されたアイテムをシャッフルする。ボタン710は、選択されたアイテムの領域704をクリアする。ボタン712は、動作したとき、再生リスト作成ツール702を閉じ、かつ、図７Ａのビュー（再生リストオプションはアイコン700によって表示されている）に戻る。
【００４７】
上に特定された'263特許出願において議論されたように、これらの代表的な実施例による再生リスト作成ツールは、本明細書に記載されたように、ズーム可能なユーザインターフェースとともに設けることができる。例えば、ユーザは、「ジャズボーカル（Jazz Vocal）」本棚内の画像上にカーソルを置き、かつ、ズームインボタンを押すことによって、図７Ａに図示されたビューから、図７Ｃに図示されたビューに動くことができる。これによって、例えば、上記したような移動効果（ユーザが、インターフェース内にズームし、かつ、図７Ｃに示すように、この本棚上の画像の拡大図が設けられる）を得る。図７Ｄに示すように、再生リスト作成ツールは、このとき、ズームインレベルで、選択可能なメディアアイテムのＵＩビュー上に重ねることもできる。また、図７Ｄは、この代表的な実施例による、部分的に投入された選択領域704（選択された音楽アイテムの画像を含む）を図示している。これによって、再び、ユーザ（この代表的な実施例において、テキストよりはむしろ画像を操作している）に対して、非常に視覚的な経験をもたらす。
【００４８】
例えば、ユーザが、「ジャズボーカル（Jazz Vocal）」本棚内のLouis Armstrongのアルバム「C'est si Bon」を選択し、かつ、ユーザインターフェースにさらにズームインコマンドを動作した場合、図７Ｅに図示されたような代表的なＵＩビューが表示されてもよい。再び、移動効果は、図７ＤのＵＩビューから図７ＥのＵＩビューへのシフトを伴う。例えば、Louis ArmstrongのＣＤのカバーアートに関する画像が、画面上の新しい位置にズームインし、拡大及び変換することができ、これによって、ユーザインターフェース内のアンカー要素及び位置の分別を、ユーザにもたらす。これらの代表的な実施例による再生リスト作成ツールの関連では、図７Ｅの詳細なビューは、再生リストを投入するために、追加的なユーザインターフェース要素を備えてもよい。例えば、この代表的な実施例によれば、ボタン720をポイントし、かつ、３Ｄポインタ300を介して入力を行うことによって、ユーザは、「C'est si Bon」アルバムから全ての歌を再生リストに加えてもよい。また、ユーザは、アルバム上の個別の各トラックに関連付けられたボタンを押すことによって（例えば、ボタン722）、個別に歌を加えてもよい。アルバムが、十分なトラック（図７Ｅの詳細なビュー内にそれら全てを表示するのに都合のよくない）を含む場合、次いで、スクロールが、例えば、スクロール矢印728及び730によって設けられる（スクロール矢印にポイントし、かつ、ポインティングデバイス300上のボタンを動作することによって、音楽トラックのリストを上下にそれぞれスクロールする）。図７Ｅの代表的な詳細なビューも、タブ化された表示を設けている。図７Ｄのビューから図７Ｅのビューへの移動によって、はじめに表示されるデフォルトタブは、「アルバム（Album）」タブ724によって設けられる。しかし、ユーザは、「関連した（Related）」とタイトルが付けられたタブ726上をポイント及びクリックすることによって、音楽選択、他のメディア選択、又は、プロダクトアイテム（Louis Armstrongの「C'est si Bon」アルバムに関連した）も閲覧してもよい。
【００４９】
上記した実施例は、再生リスト作成及び管理に関する自動トラックに関連して設けられるが、これらのツールは、再生リストを介して表示に受け入れられるメディアのタイプに、同様に適用可能である。例えば、図７Ｆ及び図７Ｇから分かるように、音楽ビデオは、アルバムに関して上記したように、同じ方法で、ハードドライブ280上に格納することができ、かつ、表示のため、再生リスト内に編成することができる。
【００５０】
３．ビュジアルＤＶＲ
テレビ（又は他のデバイス）に関連したユーザインターフェースへのＤＶＲ能力の供給は望ましい特徴である。これらの代表的な実施例は、図８Ａから図９Ｄに関連して説明されるように、他のユーザインターフェース可視化とともにＴＶ上をポイントするパワーを利用して、強力なＤＶＲツールをユーザにもたらす。この議論において特に興味深いのは、図３Ｃに図示された（図３Ｂにおいて「記録された（Recorded）」として示された）「レコーディング（Recordings）」選択要素392に設けられた代表的なナビゲーションパスである。この要素の動作によって、これらの代表的な実施例では、後述のＤＶＲ能力に対する１つのナビゲーションパスが設けられるが、これらのＵＩビューに到達するように、ユーザインターフェースを通じて、他のパスをたどってもよいことが分かる。
【００５１】
例えば、選択要素392を動作することによって、例えば、テレビ上に、図８Ａに示したＵＩビューの表示を得る。この中で、多数のユーザ選択アイテムが、ポイント及びクリックすることによって、選択に利用可能である。グローバルナビゲーションアイコン（引用により上に組み込まれた特許出願に開示された）は、ＤＶＲ機能から離れた、迅速かつ容易なナビゲーションに利用可能である。この実施例では、３個のタブ表示は、「今視聴する（Watch Now）」ためのアイテムに対する第１タブ802と、予定したレコーディングに使用するための第２タブ804「予定（Schedule）」と、ビデオレコーディングに優先順位を付ける（予定されたレコーディングの中に存在する可能性のある競合に対処するなど）ための第３タブ806「優先順位（Priorities）」とを備えて示されたように、この代表的なＤＶＲ機能に対して設けられている。これらの代表的な実施例（これらの３個のタブのそれぞれと、それらの対応する代表的なＵＩビューとに関連した）によるこのＤＶＲユーザインターフェースの部分は、以下にさらに説明される。
【００５２】
図８Ａに示された第１タブ802に続いて、このＵＩビューは、凡例バー808も備えている。この代表的な実施例では、凡例バー808は、日付、現在時刻、及び、ディスクメータ（例えば、レコーディングのためのハードドライブ280上の使用された記憶領域の量を図で示す）の表示を含んでいる。「プログラム検索（Find Programs）」機能809は、膨大な量の種々のタイプのレコーディングが保存され、かつ、このＵＩビュー内に表示されている場合、検索機能を提供するように設けることができる。凡例バー808の下部で、個別のレコーディングセットは、それらの対応する画像アイコンを介してアクセスすることができる。例えば、格納された”Molto Mario's cooking show”のエピソードは選択アイテム810を介してアクセスすることができ、かつ、格納された”Colbert Report”のエピソードは選択アイテム812を介してアクセスすることができ、かつ、テレビ上に表示するために読み出すことができる。一般に、図８Ａに示されたＵＩビューは、特定のユーザ又はユーザグループによって管理されたレコーディングの数によって、多数の追加的な選択アイコンを含んでもよい。この代表的な実施例では、選択アイテム810及び812は、画像とテキストとの組み合わせとして示されている。しかし、これらの選択は、画像だけか、又は、テキストだけで実行することができるが、選択アイテム810及び812に、少なくとも一部の画像コンポーネントを含んで、これらの代表的な実施例によるＤＶＲインターフェースの視覚的なブラウジングの態様を強化することが好ましい。
【００５３】
ユーザが選択アイテム810及び812のうちの１つを動作した場合、ユーザインターフェースは、新規のＵＩビューに移動する。例えば、選択アイテムの動作は、ユーザがカーソルを選択アイテム812上に配置し、かつ、ユーザインターフェースに動作を指示することによって、実行することができる（例えば、カーソルが選択アイテム812をオーバレイするように、３Ｄポインティングデバイス300を動かし、かつ、３Ｄポインティングデバイス300上のボタンのうちの１つを押し下げることによって）。この場合には、ユーザインターフェースは移動効果を表示してもよい（例えば、“The Colbert Report”に関連付けられた写真などのアンカー画像は、さらにインターフェースの左手角に、写真を変換しながら、ズームインすることができる）。移動効果の一部として、次のＵＩビュー820（例えば、図８Ｂに示された）がテレビ上に表示される。
【００５４】
ＵＩビュー820は、それ自体の２個のタブ822及び824を備えている。第１タブ822は、このＵＩビュー820に対するデフォルトビューであり、かつ、図８ＡのＵＩビューを介して選択された利用可能なレコーディングのタイプを示す（この実施例では、”The Colbert Report”のレコーディング）。ＵＩビュー820内の「次回（Upcoming）」タブ824を選択することによって、他のＵＩビューの表示を得る（その１例は、図８Ｃに図示されている）。その中で、各エピソードは、対応するラインアイテムとして図示されている（例えば、826，828，830，832の番号を付けられている）。図８Ｃのビュー内に表示可能であるよりも、より多くのエピソードがレコーディングに利用可能である場合、これらは、例えば、スクロールバー834又は３Ｄポインティングデバイス300上のスクロールボタンを使用して、スクロールダウンすることによって、検索することができる。この実施例では、動作可能なボタン要素上の「詳細を見る（View Details）」及び「レコーディングをキャンセルする（Cancel Rec）」の利用可能なオプションによって示されたように、”The Colbert Report”の次回のエピソードの一部は、レコーディングに既に選択されている。”The Colbert Report”の他の次回のエピソード（例えば、エピソード828及び832）は、「レコード（Record）」ボタンの存在によって示されたように、レコーディングにまだ選択されていない。例えば、レコードボタンが押された場合、次いで、オーバレイされたメッセージが表示され、例えば、図８Ｄに示されたように、エピソード828がレコーディングに成功裏に予約されたことを示すことができる。
【００５５】
他のポップアップオーバレイ画面を使用して、追加のＤＶＲレコーディングオプションをサポートすることができる。例えば、図８Ｃの「シリーズオプションを変更する（Modify Series Options）」リンク840上をポイント及びクリックすることによって、図８Ｅに図示されたポップアップ860の表示を得ることができる。この代表的な実施例では、「シリーズレコーディングオプションを変更する（Modify Series Recording Options）」ポップアップ860は、３個のカウンタを含んでいる。カウンタは、多様なシリーズレコーディングオプションに対する制御設定を視覚的に示すために、使用される。例えば、カウンタ862によって、ユーザは、ハードドライブ280上に保存されるエピソードの数を設定することができる。図８Ｅの実施例に示すように、１つの設定は「全て（All）」であるが、カウンタを回転させることによって（即ち、異なる値が出るようにカウンタウインドウ上で、矢印を上下にポイント及びクリックすることによって）、このカウンタに多様な数値が表示され、かつ、選択される（例えば、１乃至１０）。第２カウンタ864は、シリーズの予定された開始時刻に対して、レコーディングを開始するタイミングを、ＤＶＲインターフェースに命令するための類似した制御の仕組みを設けている。同様に、カウンタ866は、シリーズエピソードの予定された終了時刻以降に、レコーディングを継続するための分単位の数を設定する仕組みを設けている。
【００５６】
同様に、ユーザが「レコードを変更する（Modify Record）」オプション（図８Ｄに示されたユーザインターフェースビューからのリンク850）を動作した場合、図８Ｆに図示されたように、ポップアップオーバレイ870を表示することができる。この代表的な実施例では、「レコーディングオプションを変更する（Modifying Recording Options）」ポップアップ870は、２個のカウンタ872及び874を備えている。カウンタ872は、図８Ｅに図示されたシリーズ全体の制御に比べて、単一のエピソードに対して、レコーディングを開始するため、エピソードの予定された開始時刻以前に、分単位の数を設定する仕組みをユーザに設けている。同様に、カウンタ874は、いくつかの分単位の数（例えば、特定のエピソードが終了すると予定された以降に、１乃至１０）をレコーディングすることを停止するための仕組みを設けている。
【００５７】
一時的に図８Ａに戻ると、代表的な実施例による第２タブビュー804がここで説明される。「予定（Schedule）」とタイトルが付けられた第２タブを選択することによって、ユーザには、例えば、図９Ａに図示されたディスプレイが示される。このＤＶＲのＵＩビューでは、ユーザには、予定されたレコーディングのグリッドガイドバージョンが表示される。ビューは、まだ高度に視覚的であり、かつ、例えば、記録される各シリーズに関する画像を含んでもよい。以前のタブビュー802のように、ユーザが予定タブ804を動作するとき、ズーム移動を設けることができる（図８Ａに図示された１又は複数の画像を、変換及び拡大して、アンカー及びユーザのナビゲーション経験に対する継続性をもたらすことができる）。図９ＡのＵＩビューの凡例バー808は、日付、時刻及びディスクメータに加えて、２個の選択可能なチェックボックス900及び902を備えている。チェックボックス900によって、競合が存在する場合に、レコーディングに予定されたプログラム間の競合を、ユーザに選択的に示すことが可能になる。各プログラム（記録するように予定された）はまた、図９Ａの予定ビューにおいて、そのラインエントリ上に、対応する状態凡例を備えることができる。例えば、図９Ａのビュー内に設けられた状態は、「進行中（In Progress）」904及び「レコード予定（Will Record）」906を含んでいる。これらのプログラム（システムによって現在レコード中である）のため、ユーザに追加的なビジュアルフィードバック（プログラムが成功裏に記録されるまでの残り時間の長さに関する）があるように、進捗バー908を設けることができる。図９Ｂは、「競合を示す（Show Conflicts）」チェックボックス900がユーザによって動作された１実施例を提供している。この実施例では、次いで、記録されるプログラムに関連したエントリは、「レコード予定（Will Record）」910又は「重複する（Duplicate）」912などの状態凡例を用いて、注釈を付けられる。この後者の状態凡例は、例えば、同じ又は異なるシステムのユーザによって、レコーディングのために２回ショーが選択されたか、又は、予定されたときに、使用することができる。図９Ｃは、予定タブ804ＵＩビューの他のバージョン（競合が異なるショー間に存在する）を示している。この実施例では、「競合（Conflict）」状態凡例914は、エントリを記録されるように、対応して設けることができる。
【００５８】
図８Ａの第３タブビューは、「優先順位（Priorities）」タブ806である。ユーザがこのタブ上をポイント及びクリックするときに表示することができるビューの１例が図９Ｄに図示されている。この中で、記録される各シリーズは、この実施例では、１乃至７の数によって図示されたように、優先順位値を割り当てることができる。競合が予定されたレコーディング間に生じた場合、これらの優先順位値を使用して、どの競合するプログラムが実際に記録され、かつ、上記した「レコード予定（Will Record）」状態値を割り当てられるかを決定することができる。
【００５９】
本発明の代表的な実施例によるデータを処理するためのシステム及び方法は、命令（メモリデバイス内に含まれた）のシーケンスを実行する１又は複数のプロセッサによって実行することができる。そのような命令は、２次的なデータ記憶装置などの他のコンピュータ可読媒体からメモリデバイス内に読み込んでもよい。メモリデバイス内に含まれた命令のシーケンスの実行によって、例えば、上記したように、プロセッサが動作される。代替的な実施例では、本発明を実行するためのソフトウエア命令の代わりか、又は、組み合わせて、ハードワイヤ回路を使用してもよい。
【００６０】
上記した代表的な実施例の膨大な変形例が意図される。上記した代表的な実施例は、限定するよりもむしろ、本発明のあらゆる点で具体例であることを意図している。故に、本発明は、当業者によって本明細書に含まれた説明から導出することができる、詳細な実行における多数の変形例が可能である。そのような変形例及び変更例は、添付の特許請求の範囲に記載された本発明の範囲及び真の趣旨に含まれていると考えられる。本出願の説明に使用された要素、動作、又は命令は、そのように明白に記載された場合を除き、本発明に重要かつ不可欠あると解釈されてはならない。また、本明細書に使用された、単数の物は、１又は複数のアイテムを含むことを意図している。
【符号の説明】
【００６１】
200    集約型メディアシステム
210    I/Oバス
212    テレビ／モニタ
214    ビデオカセットレコーダ
216    デジタルビデオディスク
218    オーディオ／ビデオチューナ
220    コンパクトディスクプレーヤ
222    マイク及びスピーカ
224    ビデオカメラ
226    無線I/O装置
228    システムコントローラ
230    ケーブル放送入力
232    衛星入力
234    VHF/UHF入力
236    電話入力
238    ケーブルモデム入力
280    ハードドライブ
300    ３Ｄポインティングデバイス
302，304    ボタン
306    スクロールホイール
308    ディスプレイ
310    カーソル
320    テレビ
322    アプリケーション
324    グローバルナビゲーションアイコン
340    生放送テレビ（Live TV）
350    設定（Settings）
360    オンデマンド（On Demand）
390    音楽（Music）
392    レコーディング（Recordings）
【図１】
2010503267.tif 000002
【図２】
2010503267.tif 000003
【図３Ａ】
2010503267.tif 000004
【図３Ｂ】
2010503267.tif 000005
【図３Ｃ】
2010503267.tif 000006
【図４Ａ】
2010503267.tif 000007
【図４Ｂ】
2010503267.tif 000008
【図４Ｃ】
2010503267.tif 000009
【図４Ｄ】
2010503267.tif 000010
【図５Ａ】
2010503267.tif 000011
【図５Ｂ】
2010503267.tif 000012
【図５Ｃ】
2010503267.tif 000013
【図５Ｄ】
2010503267.tif 000014
【図６Ａ】
2010503267.tif 000015
【図６Ｂ】
2010503267.tif 000016
【図６Ｃ】
2010503267.tif 000017
【図６Ｄ】
2010503267.tif 000018
【図６Ｅ】
2010503267.tif 000019
【図６Ｆ】
2010503267.tif 000020
【図６Ｇ】
2010503267.tif 000021
【図６Ｈ】
2010503267.tif 000022
【図６Ｉ】
2010503267.tif 000023
【図６Ｊ】
2010503267.tif 000024
【図６Ｋ】
2010503267.tif 000025
【図７Ａ】
2010503267.tif 000026
【図７Ｂ】
2010503267.tif 000027
【図７Ｃ】
2010503267.tif 000028
【図７Ｄ】
2010503267.tif 000029
【図７Ｅ】
2010503267.tif 000030
【図７Ｆ】
2010503267.tif 000031
【図７Ｇ】
2010503267.tif 000032
【図８Ａ】
2010503267.tif 000033
【図８Ｂ】
2010503267.tif 000034
【図８Ｃ】
2010503267.tif 000035
【図８Ｄ】
2010503267.tif 000036
【図８Ｅ】
2010503267.tif 000037
【図８Ｆ】
2010503267.tif 000038
【図９Ａ】
2010503267.tif 000039
【図９Ｂ】
2010503267.tif 000040
【図９Ｃ】
2010503267.tif 000041
【図９Ｄ】
2010503267.tif 000042
【国際調査報告】
2010503267.tif 000043